(57)【要約】【課題】  携帯機器の表面での装飾性を高めるだけでなく使い勝手も向上させることができる構成を備えた携帯機器用装飾シート材を提供する。【解決手段】  携帯機器Ｄの表面を装飾するためのシート材であって、台紙２の表面に設けられた離型層２Ａ上に対して剥離可能な状態で貼付されている接着層１Ａを有したシート本体１を備え、前記シート本体は、前記携帯機器における少なくとも把持面に対応させた形状に予め型抜きされて構成され、その表面性状を異ならせることが可能であることを特徴としている。【選択図】        図２
0003113939.tif 000002
【実用新案登録請求の範囲】
【請求項１】
携帯機器の表面を装飾するためのシート材であって、
台紙の表面に設けられた離型層上に対して剥離可能な状態で貼付されている接着層を有した本体で構成され、
前記本体は、前記携帯機器における少なくとも把持面に対応させた形状に予め型抜きされて構成され、その表面性状を異ならせることが可能であることを特徴とする携帯機器用装飾シート材。
【請求項２】
請求項１記載の携帯機器用装飾シート材において、
前記シート本体の表面性状として、滑り止めが可能な構成とされていることを特徴とする携帯機器用装飾シート材。
【請求項３】
請求項１または２記載の携帯機器用装飾シート材において、
前記シート本体の表面性状は、皮革質，繊維質などの素材の選択あるいは表面の粗さや模様の組合せにより複数種類準備可能である携帯機器用装飾シート材。
【考案の詳細な説明】
【技術分野】
【０００１】
本考案は、携帯可能なカメラや携帯電話等の携帯機器に用いられる装飾シート材に関する。
【背景技術】
【０００２】
近年、デジタルカメラや携帯電話などのように小型で簡単な操作ができる携帯機器が多用されるようになってきている。
【考案の開示】
【考案が解決しようとする課題】
【０００３】
一般にこの種の携帯機器は、デザインや色彩などが一様な状態で出荷されることが多いことから、ユーザの好みに対応した装飾性や個性が得られない場合がある。特に、携帯電話やデジタルカメラなどにおいては、その表面がメタリックであったりあるいは単一色を着色してあることが多く、ユーザにとって無個性な印象となることは否めない。
【０００４】
そこで、従来では、出荷時に同一デザインであっても色の異なるモデルを準備することもあるが、これによってもユーザの望む個別化あるいは他との差別化を得ることが困難である。
【０００５】
また、従来では、ユーザ自身が携帯機器の表面に絵柄などのシール材を貼り付けて他のものとの差別化を行うこともあるが、この種のシール材には、当初、携帯機器の外形寸法に対応したサイズのものにおいて、シール材を貼り付ける形状に切り込みが入れてある構成やあるいはシール材に表示されているガイドラインに沿って切り裂くようにした構成などがある。
【０００６】
しかし、このような構成では、ユーザ自身がシール材の切り裂き等の作業を必要とし、貼り付けのための接着剤が塗布されている面によって指などを汚損したりあるいは接着剤を剥がしてしまうようなことがある。
【０００７】
また、このようなシール材を用いた場合には、装飾的な効果が高められるものの、携帯機器を使用する際の使い勝手に関しては考慮されていない。つまり、携帯機器はユーザに掴まれて使用されることが多く、掴みやすいあるいは掴んだ状態を維持しやすいことが望まれるが、その表面の状態は比較的光沢面、言いかえれば、平滑な面で構成されていることが多く、掴んだ際に指や手の汗などの影響によって滑りやすくなる虞があるのが現状であった。
【０００８】
本考案の目的は、上記従来の携帯機器における問題に鑑み、携帯機器の表面での装飾性を高めるだけでなく使い勝手も向上させることができる構成を備えた携帯機器用装飾シート材を提供することにある。
【課題を解決するための手段】
【０００９】
請求項１記載の考案は、携帯機器の表面を装飾するためのシート材であって、台紙の表面に設けられた離型層上に対して剥離可能な状態で貼付されている接着層を有した本体で構成され、前記本体は、前記携帯機器における少なくとも把持面に対応させた形状に予め型抜きされて構成され、その表面性状を異ならせることが可能であることを特徴としている。
【００１０】
請求項２記載の発明は、請求項１記載の携帯機器用装飾シート材において、前記本体の表面性状として、滑り止めが可能な構成とされていることを特徴としている。
【００１１】
請求項３記載の発明は、請求項１または２記載の携帯機器用装飾シート材において、前記本体の表面性状は、皮革質，繊維質などの素材の選択あるいは表面の粗さや模様が組合せにより複数種類準備可能であることを特徴としている。
【考案の効果】
【００１２】
請求項１および２記載の考案によれば、予め携帯機器の少なくとも把持面に対応した形状に型抜きされているシート材は、その表面性状を異ならせることができ、特に請求項２記載の考案においては、滑り止めが可能な構成であるので、出荷時での携帯機器の表面状態を変更することができる。しかも、携帯機器の表面状態を変更する際には、型抜きされた本体を台紙の離型層から剥離して貼り付けるだけですむので、貼り付け部の形状に合わせた切り抜き作業などを不要にしてユーザの好みに応じた表面状態および使い勝手のよさを得ることができる。
【００１３】
請求項３記載の考案によれば、本体の表面性状が素材の選択あるいは表面の構造によって選択できるので、ユーザの好みあるいは使い勝手に応じた携帯機器の表面状態を作り出すことができる。
【考案を実施するための最良の形態】
【００１４】
以下、実施例により本考案を実施するための最良の形態について説明する。
【実施例】
【００１５】
図１は、携帯機器の一つであるデジタルカメラＤを対象として本実施例によるシート材１が設けられている状態を示している。
【００１６】
シート材１は、図２（Ａ）に示すように、予めデジタルカメラＤにおける把持面Ｄ１に対応する形状に型抜きされた本体からなり、この本体が、図２（Ｂ）に示すように、台紙２の表面に設けられた離型層２Ａに積層されている。なお、以下の説明に用いるシート材１という表現は台紙２から剥離された本体を指すものとする。
【００１７】
シート材１には、台紙２の離型層２Ａに対向する面に接着層１Ａが設けられており、離型層２Ａから剥離されるとデジタルカメラＤなどの携帯機器の表面に貼り付けることができるようになっている。このため、離型層２Ａは、シート材１の剥離を許容できるものが選択されている。
【００１８】
シート材１における接着層１Ａと反対側の面は、表面性状が変更できるようになっており、図３に示すように皮革質としたもの、あるいは、図４に示すように繊維質としたものが用いられ、さらには、例えば、図５に示すように、皺状の凹凸を設けるなどの模様や粗さを類別されるようになっている。
このため、ユーザは、装飾用としてシート材１を貼り付けるだけでなく、把持した際の滑り止め部としてシート材１の表面を用いることができる。
【００１９】
本実施例は以上のような構成であるから、台紙２に積層されて一体化されているシート材１は、その表面性状をユーザの好みに応じたものが選択される。
【００２０】
図６は、図１に示したデジタルカメラＤとは別の携帯機器である携帯電話Ｔにシート材１が設けられている状態を示しており、携帯電話Ｔに対するシート材１の貼り付け面の形状に応じて型抜きされているシート材１が台紙（図示されず）から剥離されて貼り付けられるようになっている。
【００２１】
このため、ユーザは、シート材１を携帯機器に貼り付ける際、台紙２からシート材１を剥離するだけで携帯機器への貼り付けが行えるので、従来のもののように、切り込みを破断するような作業やガイドラインに沿って切り裂くような作業を不要にすることができる。
【００２２】
一方、シート材の表面性状が選択できることにより、その表面を滑り止めとして用いることも可能であり、装飾に加えて把持した際の不用意な滑りを防止することができる。
【００２３】
本実施例によれば、シート材１の表面性状を変更できるので、使用時の条件に応じた材質あるいは表面状態のものを準備すれば、例えば、汗の吸収機能や把持の際に手指への指圧機能などを付与することができる。
【図面の簡単な説明】
【００２４】
【図１】本考案実施例によるシート材の使用状態を説明するための外観図である。
【図２】図１に示したシート材の要部構成を示す図であり、（Ａ）は外観を、（Ｂ）は（Ａ）において符号（Ｂ）で示す方向の断面をそれぞれ示している。
【図３】図１に示したシート材における表面性状の一例を示す外観図である。
【図４】図１に示したシート材における表面性状の他の例を示す外観図である。
【図５】図１に示したシート材における表面性状のさらに他の例を示す外観図である。
【図６】本考案実施例によるシート材の使用状態の別例を示す外観図である。
【符号の説明】
【００２５】
１      シート材（本体）
１Ａ    接着層
２      台紙
２Ａ    離型層
Ｄ      携帯機器の一例であるデジタルカメラ
Ｔ      携帯機器の他の例である携帯電話
【図１】
0003113939.tif 000003
【図２】
0003113939.tif 000004
【図３】
0003113939.tif 000005
【図４】
0003113939.tif 000006
【図５】
0003113939.tif 000007
【図６】
0003113939.tif 000008